(57)【要約】【課題】自動釣銭機の硬貨入金口に対し硬貨を簡単に投入することができるコイントレーを提供する。【解決手段】底面の外周を囲むように側面が設けられたコイントレー１であって、紙幣を含む金銭を収容可能な大きさを有する金銭載置部３１と、前記金銭載置部３１につながる硬貨を硬貨排出口５１に導く硬貨案内部４１と、前記硬貨案内部４１の先端に設けられた開口した前記硬貨排出口５１と、を備え、前記硬貨排出口５１は、硬貨の排出方向の対面の側面が取り除かれ形成されている。【選択図】図１
0003222465.tif 000002
【実用新案登録請求の範囲】
【請求項１】
底面の外周を囲むように側面が設けられたコイントレーであって、
紙幣を含む金銭を収容可能な大きさを有する金銭載置部と、
前記金銭載置部につながる硬貨を硬貨排出口に導く硬貨案内部と、
前記硬貨案内部の先端に設けられた開口した前記硬貨排出口と、
を備え、
前記硬貨排出口は、硬貨の排出方向の対面の側面が取り除かれ形成されていることを特徴とするコイントレー。
【請求項２】
前記側面は、上部ほど外に広がった傾斜面であることを特徴とする請求項１に記載のコイントレー。
【請求項３】
前記硬貨案内部の先端は、平面視において底面の先端位置が側面の先端位置と同一か又は側面の先端位置と比較して前記金銭載置部側に後退していることを特徴とする請求項１又は請求項２に記載のコイントレー。
【請求項４】
前記硬貨案内部は、先端部に上部を覆うカバーを備え、先端部がトンネル状になっていることを特徴とする請求項１から３のいずれか１項に記載のコイントレー。
【考案の詳細な説明】
【技術分野】
【０００１】
本考案は、金銭の受け渡しに用いるコイントレーに関する。
【背景技術】
【０００２】
店舗で商品を購入する際には、金銭の受け渡しに通常、コイントレーが使用される。商品購入者は、コイントレー内に購入代金として紙幣、硬貨、カードを入れ、店の従業員は、コイントレー内からカードを取り出し、カードの読み取り、ポイント付与等の処理を行うと共に、紙幣及び硬貨を取出しレジスター（ＰＯＳレジ）を介して精算し、釣銭を商品購入者に渡す。コイントレーは、キャッシュトレー、釣り銭トレー、会計トレーとも呼ばれる。
【０００３】
レジスター（ＰＯＳレジ）も年々改良され、自動釣銭機とセットとなったＰＯＳレジも多く使用されている。自動釣銭機２００は、図６に示すように本体２０２の上部に硬貨入金口２０４、本体２０２の前面に紙幣入金口２０６、その他硬貨出金口２０８、紙幣出金口２１０が設けられている。自動釣銭機２００は、図６に示すものに限定されないが、今日の自動釣銭機２００はコンパクト化されており、硬貨入金口２０４の大きさは縦８０ｍｍ×横１２０ｍｍ程度である。
【０００４】
自動釣銭機２００への硬貨入金は、従業員がコイントレー３００内の硬貨１０１を取り上げ硬貨入金口２０４に投入するか、図６に示すようにコイントレー３００内に硬貨１０１を置いたまま硬貨入金口２０４上でコイントレー３００を傾け硬貨１０１を流し込む方法で行われる。前者は確実な方法であるが、コイントレー３００内から硬貨１０１を取り上げる手間がかかる。硬貨を取出し易くしたコイントレーも考案されているが（例えば特許文献１、特許文献２参照）、硬貨１０１を一度手に取り出し、その後、硬貨入金口２０４に投入するので時間がかかる。
【０００５】
後者の方法は、コイントレー３００から硬貨１０１を取り上げる手間が不要であるが、硬貨１０１を硬貨入金口２０４へ投入するのが難しく、図６に示すように空いた方の手４０２で硬貨１０１がこぼれ落ちないようにガイドする必要がある。両方の手４０１、４０２を使用し、また硬貨１０１がこぼれ落ちないようにする必要があるためやはり会計に時間がかかり、また気を使いストレスがたまる。
【先行技術文献】
【特許文献】
【０００６】
【特許文献１】特開２００１−２３００３号公報
【特許文献２】実開平４−２８３６９号公報
【考案の概要】
【考案が解決しようとする課題】
【０００７】
客が多いコンビニエンスストア、スーパーマーケットなどの店舗では、迅速な会計が求められているため自動釣銭機とセットとなったＰＯＳレジ等は有効である。一方で、上記のように硬貨を自動釣銭機の硬貨入金口に投入する点については課題がある。コイントレーを小型化すれば、硬貨を自動釣銭機の硬貨入金口に投入し易くなるが、小さいコイントレーの場合、客が紙幣、カードをコイントレーの外に置いてしまうという問題があり、自動釣銭機に適したコイントレーの開発が待たれている。
【０００８】
本考案の目的は、自動釣銭機の硬貨入金口に対し硬貨を簡単に投入することができるコイントレーを提供することである。
【課題を解決するための手段】
【０００９】
本考案は、底面の外周を囲むように側面が設けられたコイントレーであって、紙幣を含む金銭を収容可能な大きさを有する金銭載置部と、前記金銭載置部につながる硬貨を硬貨排出口に導く硬貨案内部と、前記硬貨案内部の先端に設けられた開口した前記硬貨排出口と、を備え、前記硬貨排出口は、硬貨の排出方向の対面の側面が取り除かれ形成されていることを特徴とするコイントレーである。
【００１０】
本考案のコイントレーにおいて、前記側面は、上部ほど外に広がった傾斜面であることを特徴とする。
【００１１】
本考案のコイントレーにおいて、前記硬貨案内部の先端は、平面視において底面の先端位置が側面の先端位置と同一か又は側面の先端位置と比較して前記金銭載置部側に後退していることを特徴とする。
【００１２】
本考案のコイントレーにおいて、前記硬貨案内部は、先端部に上部を覆うカバーを備え、先端部がトンネル状になっていることを特徴とする。
【考案の効果】
【００１３】
本考案によれば、自動釣銭機の硬貨入金口に対し硬貨を簡単に投入することができるコイントレーを提供することができる。
【図面の簡単な説明】
【００１４】
【図１】本考案の第１実施形態のコイントレー１を斜め上から見た斜視図である。
【図２】本考案の第１実施形態のコイントレー１の平面図及び正面図である。
【図３】本考案の第１実施形態のコイントレー１の使用状態を示す図である。
【図４】本考案の第１実施形態のコイントレー１の使用状態を示す図である。
【図５】本考案の第１実施形態のコイントレー１の変形例の要部を示す図である。
【図６】従来のコイントレー３００の使用例を示す斜視図である。
【考案を実施するための形態】
【００１５】
図１は、本考案の第１実施形態のコイントレー１を斜め上から見た斜視図であり、図２（Ａ）がコイントレー１の平面図、図２（Ｂ）が正面図である。図３及び図４は、本考案の第１実施形態のコイントレー１の使用状態を示す図である。図６に示す従来のコイントレー３００の使用例を示す斜視図と同一の構成には同一の符号を付して説明を省略する。
【００１６】
本考案の第１実施形態のコイントレー１は、底面を形成する底板１１の外周縁を囲むように側面を形成する側板６１が設けられ、上面が全面開口した金銭１００の受け渡しに用いるトレーであり、金銭載置部３１と硬貨１０１を硬貨排出口５１に導く硬貨案内部４１と、硬貨１０１を排出する硬貨排出口５１とを備える。
【００１７】
コイントレー１の底板１１は、平面視において矩形な矩形形状部１３と、矩形形状部１３に繋がる先細り状の略三角形の略三角形状部１５と、略三角形状部１５の先端部に設けられた矩形形状部２１とに区分けすることができる（図２（Ａ）参照）。矩形形状部１３と略三角形状部１５、略三角形状部１５と矩形形状部２１とは連続して設けられており、これらの間に明確な境界があるわけではない。底板１１は、側面視において平であり、底板１１の上面（表面）も平坦である。
【００１８】
金銭載置部３１は、紙幣１０３、硬貨１０１、カード１１１を載置・収容する部分であり、底板１１の矩形形状部１３と矩形形状部１３に繋がる略三角形状部１５の一部と、これらの周囲を囲むように配置された側板６１とで構成される。このため金銭載置部３１の底面の大きさは、日本銀行券１万円札などの紙幣１０３を収容できる大きさとなっている（図３参照）。
【００１９】
金銭載置部３１の底面の大きさは、紙幣１０３の大きさよりも少し大きい程度が好ましい。金銭載置部３１の底面を不必要に広くすると場所を取るのみならず、自動釣銭機２００の硬貨入金口２０４へ硬貨１０１を投入する際にじゃまになる。一方で金銭載置部３１の底面を不必要に狭くすると、店舗等で商品購入者が紙幣１０３あるいはカード１１１をコイントレー１の外に置くため好ましくない。
【００２０】
硬貨案内部４１は、金銭載置部３１に載置された硬貨１０１を硬貨排出口５１に導く部分であり、主として底板１１の略三角形状部１５と矩形形状部２１と、これらの周囲を囲むように配置された側板６１とで構成される。底板１１の略三角形状部１５は、矩形形状部１３から連続して設けられており、大略的には直角三角形の形状を有する。矩形形状部２１は、矩形形状部１３に比較して小さく、略三角形状部１５の頂部に略三角形状部１５から連続して設けられている。この矩形形状部２１の先端が硬貨排出口５１となる。
【００２１】
硬貨案内部４１を構成する略三角形状部１５の傾斜辺１６と矩形形状部１３の側辺１４との交点１８、及び略三角形状部１５の傾斜辺１６と矩形形状部２１の側辺２２との交点２３は、円弧状となっている。これは金銭載置部３１に載置された硬貨１０１を硬貨排出口５１にスムーズに導くためである。交点１８は、ここに硬貨１０１が止まらず、硬貨１０１を硬貨排出口５１にスムーズに移動させることができれば鋭角であってもよい。
【００２２】
底板１１の略三角形状部１５の傾斜辺１６の矩形形状部１３の側辺１４に対する角度α１は、コイントレー１の反硬貨排出口側を持ち上げ、コイントレー１を斜めにしたとき、傾斜辺１６に硬貨１０１が止まらず、硬貨１０１を硬貨排出口５１にスムーズに移動させることができる角度に設定されている。本実施形態において傾斜辺１６は直線状であるが、硬貨１０１を硬貨排出口５１にスムーズに移動させることができれば湾曲していてもよい。
【００２３】
矩形形状部２１の幅Ｗは、硬貨１０１が滞ることなく通過できる幅に設定されている。極端に狭くすると多くの硬貨１０１を通過させる際に硬貨１０１が滞るため好ましくない。逆に広くし過ぎると、自動釣銭機２００の硬貨入金口２０４への硬貨１０１の投入が難しくなる。矩形形状部２１の長さＬは、特に限定されるものではないが、不必要に長くする必要はない。矩形形状部２１の長さＬをゼロ、つまり矩形形状部２１をなくしてもよいが、硬貨１０１をコイントレー１からこぼれ落とすことなく硬貨排出口５１からスムーズに排出するには僅かの長さでもあった方がよい。
【００２４】
硬貨排出口５１は、硬貨案内部４１の先端である。硬貨排出口５１には、側板６１は設けられていない。硬貨排出口５１の幅Ｗは、硬貨１０３の直径の１．２〜１．５倍程度が好ましい。この幅Ｗは、自動釣銭機２００の硬貨入金口２０４の縦、横の長さに比較して狭い。これにより硬貨１０１を硬貨入金口２０４に簡単にまた確実に流し込むことができる。
【００２５】
側板６１は、硬貨排出口５１を除き、底板１１の外周縁を囲むように取付けられている。側板６１は、側面視において外に向って傾斜した傾斜面となっている（図２（Ｂ）参照）。このため側板６１の上辺を結び形成される上面は底面（底板１１の上面）よりも広くなっている。側板６１の底板１１に対する傾斜角度α２（図２（Ｂ））は、特に限定されるものではないが４５〜７５°位が好ましい。
【００２６】
側板６１を底板１１に対して直交するように取付けてもよいが、側板６１を傾斜して取付けることでコイントレー１が持ち易くなる。また側板６１を傾斜面とすることで複数個のコイントレー１を重ねて積むことができる。さらにコイントレー１の上面が底面よりも広くなるので紙幣１０３等をコイントレー１内に入れ易くなる。
【００２７】
側板６１は、金銭１００がこぼれ落ちないように収容する機能の他、持ち手としての機能を備える。側板６１の高さＨ（図２（Ｂ）参照）は、これらに適した高さ、例えば３０ｍｍ程度が好ましい。側板６１を極端に低くすると金銭１００を収容する機能及び持ち手としての機能が低下し、逆に側板６１を極端に高くするとコイントレー１が大きくなり過ぎ好ましくない。
【００２８】
側板６１の底板１１に対する傾斜角度α２、高さＨは、金銭載置部３１と硬貨案内部４１とで異なっていてもよいが、傾斜角度α２、高さＨを各所で同じとすれば製造し易い。
【００２９】
コイントレー１の材質は、特に限定されるものではないが、底板１１は、コイントレー１を傾けたときに硬貨１０１が滑り易いものがよい。底板１１と側板６１とは異なる材料であってもよいが、底板１１と側板６１とを合成樹脂とし、コイントレー１を射出成形等で一体的に製造すれば安価に製造でき好ましい。
【００３０】
このようなコイントトレー１は、紙幣１０３、カード１１１を取出し、図４に示すようにコイントレー１を傾けるだけで片手４０１で簡単に硬貨１０１を自動釣銭機２００の硬貨入金口２０４に挿入することができる。
【００３１】
次に本考案のコイントレーの変形を説明する。図５は、本考案の第１実施形態のコイントレー１の変形例の要部を示す図である。
【００３２】
図５（Ａ）は、コイントレー１の硬貨案内部４１の先端付近の斜視図であり、ここに示すコイントレー１は、底板１１の矩形形状部２１の先端２５が側板６１よりも金銭載置部側に後退している。図５（Ｂ）は、コイントレー１の硬貨案内部４１の先端付近の斜視図であり、ここに示すコイントレー１は、硬貨案内部４１の先端部に側板６１に架け渡すようにカバー４２が取付けられている。カバー４２は、着脱式が好ましく、また透明であることが好ましい。
【００３３】
図５（Ｃ）は、コイントレー１の硬貨案内部４１周りの平面図であり、ここに示すコイントレー１は、矩形形状部２１がコイントレーの短手方向の中心に設けられている。図５（Ｄ）は、コイントレー１を長手方向に切断して見た硬貨案内部４１周りの断面図である。底板１１の矩形形状部２１が硬貨排出口５１に向って僅かに持ち上がるように傾斜している。
【００３４】
以上のように本考案に係るコイントレーは、紙幣を含む金銭を収容できる金銭載置部を備え、紙幣を含む金銭を収容するというコイントレー本来の機能を有する。また金銭載置部に載置された硬貨を硬貨排出口にスムーズに導く硬貨案内部を備えるので、コイントレーを傾けるだけで自動釣銭機の硬貨入金口に対し硬貨を簡単にかつ確実に投入することができる。このような操作は片手で操作可能であり使い勝手がよい。
【００３５】
本考案に係るコイントレーは、上記実施形態に限定されるものではなく、要旨を変更しない範囲で変更することができる。また当業者であれば、本明細書を見て、自明な範囲内で種々の変更及び修正を容易に想定するであろう。従って、そのような変更及び修正は、請求の範囲から定まる考案の範囲内のものと解釈される。
【符号の説明】
【００３６】
１  コイントレー
１１  底板
１３  矩形形状部
１５  略三角形状部
２１  矩形形状部
２５  先端
３１  金銭載置部
４１  硬貨案内部
４２  カバー
５１  硬貨排出口
６１  側板
１００  金銭
１０１  硬貨
１０３  紙幣
１１１  カード
【図１】
0003222465.tif 000003
【図２】
0003222465.tif 000004
【図３】
0003222465.tif 000005
【図４】
0003222465.tif 000006
【図５】
0003222465.tif 000007
【図６】
0003222465.tif 000008